(57)【要約】【課題】簡素な構造であるとともに、使用時も安全かつ静かであって、しかも直動的で安定した弾力昇降運動を付与することができる吊り床式ベビーベッドを提供すること。【解決手段】所要の囲い空間を有する外枠１と；この外枠１の中に昇降操作可能に内装された昇降枠２と；この昇降枠２の開口部に布設された寝床シート３と；前記外枠１の中における昇降枠２の横触れを制止して直動的な昇降運動を許容する確動機構（１１・２１）と；前記外枠１と昇降枠２とを弾力的に連繋し、昇降枠２の昇降動を緩衝化せしめる弾性部材４とを含んで構成するという技術的手段を採用した。【選択図】  図１
2004313254.tif 000002
【特許請求の範囲】
【請求項１】
所要の囲い空間を有する外枠１と；この外枠１の中に昇降操作可能に内装された昇降枠２と；この昇降枠２の開口部に布設された寝床シート３と；前記外枠１の中における昇降枠２の横触れを制止して直動的な昇降運動を許容する確動機構（１１・２１）と；前記外枠１と昇降枠２とを弾力的に連繋し、昇降枠２の昇降動を緩衝化せしめる弾性部材４とを含んで構成されたことを特徴とする吊り床式ベビーベッド
【請求項２】
確動機構（１１・２１）が、外枠１の側面に上下に亙り設けられたガイドレール１１と、このガイドレール１１を挟み込むべく対向配置された一対のローラ部材２１・２１とから成り、上下滑らかに転動できるように構成したことを特徴とする請求項１記載の吊り床式ベビーベッド。
【請求項３】
寝床シート３がメッシュ生地であることを特徴とする請求項１または２記載の吊り床式ベビーベッド。
【請求項４】
外枠１および／または昇降枠２が木製であることを特徴とする請求項１〜３の何れか一つに記載の吊り床式ベビーベッド。
【発明の詳細な説明】
【０００１】
【発明の属する技術分野】
本発明は、ベビーベッドの改良、更に詳しくは、簡素な構造であるとともに、使用時も安全かつ静かであって、しかも、直動的で安定した弾力昇降運動を付与することができる吊り床式ベビーベッドに関するものである。
【０００２】
【従来の技術】
新生児や乳児を寝かし付けるには、ベビーベッドを揺さ振ったり、揺りかごを用いることにより、その揺れの心地良さで眠りを誘う。従来、かかるベビーベッドを揺さ振る労力を軽減するためにモーター動力を備えたものが開示されている（例えば、特許文献１参照）。
【０００３】
しかしながら、このようにモーターなどの動力を使用することは、機械の故障による発火や感電などの事故などで乳児の身体に危険を及ぼす可能性を否定できない。また、作動音が騒音となり、乳児の睡眠を妨げるおそれがある。
【０００４】
また、従来の揺りかごは、かごの上部が枢支されて振り子軌道に揺動するものや脚部を円弧状に作製したものが一般的であるが、乳児にとっては上下の弾力昇降運動が母体内に近い状態であり、安堵感を得て、より良く眠りを誘うことができる。
【０００５】
【特許文献１】
特開平８−１６４０４０号公報  （第２−３頁、第１−２図）
【０００６】
【発明が解決しようとする課題】
本発明は、従来のベビーベッドに上記のような問題があったことに鑑みて為されたものであり、その目的とするところは、簡素な構造であるとともに、使用時も安全かつ静かであって、しかも、直動的で安定した弾力昇降運動を付与することができる吊り床式ベビーベッドを提供することにある。
【０００７】
【課題を解決するための手段】
本発明者が上記課題を解決するために採用した手段を添付図面を参照して説明すれば次のとおりである。
【０００８】
即ち、本発明は、所要の囲い空間を有する外枠１と；この外枠１の中に昇降操作可能に内装された昇降枠２と；この昇降枠２の開口部に布設された寝床シート３と；前記外枠１の中における昇降枠２の横触れを制止して直動的な昇降運動を許容する確動機構（１１・２１）と；前記外枠１と昇降枠２とを弾力的に連繋し、昇降枠２の昇降動を緩衝化せしめる弾性部材４とを含んで構成するという技術的手段を採用した。
【０００９】
また、本発明は、上記課題を解決するために、必要に応じて上記手段に加え、確動機構（１１・２１）が、外枠１の側面に上下に亙り設けられたガイドレール１１
と、このガイドレール１１を挟み込むべく対向配置された一対のローラ部材２１・２１とから成り、上下滑らかに転動できるように構成するという技術的手段を採用した。
【００１０】
更にまた、本発明は、上記課題を解決するために、必要に応じて上記手段に加え、寝床シート３をメッシュ生地にするという技術的手段を採用した。
【００１１】
更にまた、本発明は、上記課題を解決するために、必要に応じて上記手段に加え、外枠１および／または昇降枠２を木製にするという技術的手段を採用した。
【００１２】
【発明の実施の形態】
本発明の実施形態を具体的に図示した図面に基いて更に詳細に説明すると次のとおりである。
【００１３】
本発明の実施形態を図１および図２に基いて説明する。図１中、符号１で指示するものは外枠であり、この外枠１は所要の囲い空間を有しており、本実施形態では、木製材料で略直方枠状に組み立てられている。
【００１４】
また、符号２で指示するものは昇降枠であり、この昇降枠２も木製材料で組み立てられている。更にまた、符号３で指示するものは寝床シートであり、この寝床シート３は乳児を寝かせる部材であって、本実施形態ではメッシュ生地を採用することにより通気性を向上させる。更にまた、符号４で指示するものは弾性部材であり、この弾性部材４にはゴム材料を採用する。
【００１５】
しかして、本実施形態におけるベビーベッドを構成するにあっては、まず、所要の囲い空間を有する外枠１の中に昇降操作可能に昇降枠２を内装する。そしてこの昇降枠２の開口部に寝床シート３を布設し、この寝床シート３上に乳児を寝かせることができるようにする。
【００１６】
また、前記外枠１の中における昇降枠２の横触れを制止して直動的な昇降運動を許容する確動機構（１１・２１）を設ける。本実施形態では、外枠１の側面に上下に亙り設けられたガイドレール１１と、このガイドレール１１を挟み込むべく対向配置された一対のローラ部材２１・２１とから成り、上下滑らかに転動できるように構成している（図２参照）。
【００１７】
そして、前記外枠１と昇降枠２とを弾性部材４で弾力的に連繋することにより昇降枠２の昇降動を緩衝化せしめることができる。こうして、乳児を寝かせるとともに、弾性部材４を伸縮させることにより、横触れを制止してフワフワとした上下方向の心地良い弾力昇降運動を安定的に付与することができ、乳児を心地良く寝かし付けることができ、しかも、小さな力で操作することができる。
【００１８】
本発明は概ね上記のように構成されるが、本発明は図示の実施例に限定されるものでは決してなく、「特許請求の範囲」の記載内において種々の変更が可能であって、例えば、寝床シート３はメッシュ材料に限らず、綿や合成繊維などの材料を問わず、また、交換式にも構成することができる。
【００１９】
また、確動機構（１１・２１）を、昇降枠２にはボールベアリングを配設し、このボールベアリング部分にガイドレール１１を挿通して構成することも可能であり、何れのものも本発明の技術的範囲に属する。
【００２０】
【発明の効果】
以上、実施形態を挙げて説明したとおり、本発明にあっては、確動機構を配設したことにより、横触れを制止して直動的な昇降動を許容することができ、安定した動作により、乳児を心地良く寝かし付けることができる。
【００２１】
また、弾性部材を配設してその弾性力を利用したことにより、昇降運動を緩衝化せしめることができ、また、構成が簡素であり、モーターなどの動力を必要としないので、使用時も安全かつ静かであることから、実用的利用価値は頗る高いものがある。
【図面の簡単な説明】
【図１】本発明の実施形態品を表わす斜視図である。
【図２】本発明の実施形態品を表わす側面図である。
【符号の説明】
１    外枠
１１  確動機構（ガイドレール）
２    昇降枠
２１  確動機構（ローラ部材）
３    寝床シート
４    弾性部材
【図１】
2004313254.tif 000003
【図２】
2004313254.tif 000004